(57)【要約】【課題】床面が不陸な場合であっても横引き管を水平に支持することが可能な配管施工方法を提供する。【解決手段】配管施工方法は、水廻り器具からの排水を流し床面に沿って配置される横引き管２２と、横引き管２２の排水方向下流側に接続され、下方に向けて屈曲した落し込み管と、落し込み管の下流側に接続され、下方に向けて延びる竪管と、備えるサイホン排水システムの配管施工方法であって、横引き管２２、及び落し込み管の少なくとも一方を、床面から浮かせるための支持部材３２を用いて支持することで、横引き管２２を水平に保つ工程を有する。【選択図】図３
2019190123.tif 000002
【特許請求の範囲】
【請求項１】
水廻り器具からの排水を流し床面に沿って配置される横引き管と、前記横引き管の排水方向下流側に接続され、下方に向けて屈曲した落し込み管と、前記落し込み管の下流側に接続され、下方に向けて延びる竪管と、備えるサイホン排水システムの配管施工方法であって、
前記横引き管、及び前記落し込み管の少なくとも一方を、前記床面から浮かせるための浮遊手段を用いて支持することで、前記横引き管を水平に保つ工程を有する、サイホン排水システムの配管施工方法。
【請求項２】
前記浮遊手段は、前記床面に設けられた少なくとも１本の脚部と、前記脚部の一方側の側部に設けられ前記横引き管を保持する配管保持部とを含んで構成される保持機構を用いて前記横引き管を前記床面から浮かせている、請求項１に記載のサイホン排水システムの配管施工方法。
【請求項３】
前記脚部に対する前記配管保持部の接続部位を変更することにより前記床面からの前記配管保持部の高さを調整できる、請求項２に記載のサイホン排水システムの配管施工方法。
【請求項４】
前記脚部は、前記床面に埋め込まれて固定されるアンカーと、前記アンカーの雌ねじ部に捩じ込む雄ねじ部を備えた軸部材と、を有する、請求項２または請求項３に記載のサイホン排水システムの配管施工方法。
【請求項５】
前記落し込み管の鉛直部、または前記竪管を、住戸の居室外に設けたメーターボックス内の前記床面に形成した孔に挿通し、前記落し込み管の水平部を前記浮遊手段を用いて前記メーターボックス内の前記床面に固定する固定工程と、
前記落し込み管の鉛直部、または前記竪管と前記孔との間の隙間を固形剤で埋めて前記固形剤を固める固形剤固化工程と、
前記固定工程の後、前記メーターボックス内の前記床面の上にセメントを流し込んで表面仕上げを行なう表面仕上げ工程と、
を有する、請求項１〜請求項４の何れか１項に記載のサイホン排水システムの配管施工方法。
【発明の詳細な説明】
【技術分野】
【０００１】
本発明は、配管施工方法に関する。
【背景技術】
【０００２】
サイホン排水システムは、床面上に配置され、水廻り器具からの排水を横方向に流す横引き管と、横引き管の下流側に鉛直方向に配置されてサイホン力を発生する竪管と、横引き管と竪管とを接続する落し込み管とを含んで構成されるサイホン排水管を備えている。
サイホン排水システムでは、水廻り器具から排水が排出されると、最初に横引き管が満流となり、次いで竪管内が満流状態となり、竪管内で満流となった排水が落下することでサイホン力を発生し、効率的な排水が行われるようになっている（例えば、特許文献１参照）。
【０００３】
ところで、マンション等の集合住宅では、床面（コンクリート製の場合、スラブと呼ぶ）の上に横引き管を配置する。ここで、床面が不陸（表面が凹凸している）であると、一例として、床面の上に配置した横引き管が下流方向に向かって下方に傾斜していると、水平にした場合に比較して横引き管内が満流になるまで時間を要する。その結果、竪管内が満流になるまで時間を要し、竪管がサイホン力を発生するまでに時間を要する場合がある。
【０００４】
これは、横引き管の上流側に勾配が付いていると、水廻り器具から排水が流れ始めた際に、配管内の上流側において、空気が上側、排水が下側となって、配管内の空気が上流側に向けて逆流してしまうため、横引き管の上流側が満流になるまで時間を要してしまうからである。このため、何らかの方法を用いて、横引き管を水平に配置することが必要となる。
【先行技術文献】
【特許文献】
【０００５】
【特許文献１】特開２０１２−２１６９１０号公報
【発明の概要】
【発明が解決しようとする課題】
【０００６】
しかしながら、出来上がった床面の不陸を調整する作業は極めて煩雑であり、手間暇、及びコストが掛る。また、床面には、トイレの排水配管、浴室やキッチンの給湯、給水配管、ガス配管等が敷設されるため、横引き管をこれらの配管を避けて配置しなければならない場合があり、改善の余地があった。
【０００７】
本発明は上記事実を考慮し、床面が不陸な場合であっても横引き管を水平に支持することが可能な配管施工方法の提供を目的とする。
【課題を解決するための手段】
【０００８】
請求項１に記載の発明は、水廻り器具からの排水を流し床面に沿って配置される横引き管と、前記横引き管の排水方向下流側に接続され、下方に向けて屈曲した落し込み管と、前記落し込み管の下流側に接続され、下方に向けて延びる竪管と、備えるサイホン排水システムの配管施工方法であって、前記横引き管、及び前記落し込み管の少なくとも一方を、前記床面から浮かせるための浮遊手段を用いて支持することで、前記横引き管を水平に保つ工程を有する。
【０００９】
請求項１に記載の配管施工方法では、横引き管を水平に保つ工程において、浮遊手段で、横引き管、及び落し込み管の少なくとも一方を床面から浮かせる。このため、床面の不陸に関係なく、横引き管を水平に支持することができる。
【００１０】
このように、横引き管を水平に支持することで、不陸の床面に横引き管を配置したサイホン排水システムに比較して、サイホン力を早く発生させることができる。
【００１１】
また、従来の配管施工方法では、横引き管を配置する床面が不陸の場合には、横引き管の全長に渡って水平をとるため施工作業が煩雑となっていたが、請求項１の配管施工方法では、適当な間隔で浮遊手段を用いて横引き管を支持するだけで、横引き管の水平を簡単にとることができる。
さらに、請求項１に記載の配管施工方法では、横引き管を床面から浮かせることができるため、横引き管を他の配管の上に通すこともできる。
【００１２】
請求項２に記載の発明は、請求項１に記載のサイホン排水システムの配管施工方法において、前記浮遊手段は、前記床面に設けられた少なくとも１本の脚部と、前記脚部の一方側の側部に設けられ前記横引き管を保持する配管保持部とを含んで構成される保持機構を用いて前記横引き管を前記床面から浮かせている。
【００１３】
請求項２に記載の配管施工方法では、浮遊手段は、少なくとも１本の脚部を有し、その脚部が床面に設けられている。脚部の一方側の側部には配管保持部が設けられており、その配管保持部に横引き管が保持されることで、横引き管が床面から浮かされている。配管保持部は、脚部の一方側に設けられているので、例えば、配管保持部を壁際に配置し、言い換えれば、壁に接近して配置し、脚部を配管保持部の壁側とは反対側に配置することで、横引き管を壁に接近させて配置することができる。したがって、様々なスラブの状態に左右されず、横引き管を水平に配置することができる。
【００１４】
請求項３に記載の発明は、請求項２に記載のサイホン排水システムの配管施工方法において、前記脚部に対する前記配管保持部の接続部位を変更することにより前記床面からの前記配管保持部の高さを調整できる。
【００１５】
請求項３に記載の配管施工方法では、配管保持部が脚部に対する接続部位を変更すること、言い換えれば、配管保持部の高さ位置を変更することができ、横引き管を水平にするための調整がやり易くなる。
【００１６】
請求項４に記載の発明は、請求項２または請求項３に記載のサイホン排水システムの配管施工方法において、前記脚部は、前記床面に埋め込まれて固定されるアンカーと、前記アンカーの雌ねじ部に捩じ込む雄ねじ部を備えた軸部材と、を有する、
【００１７】
請求項４に記載の配管施工方法では、アンカーが床面に埋め込まれて固定されており、床面に固定されたアンカーの雌ねじ部に脚部の雄ねじ部が捩じ込まれることで、脚部が床面に固定される。
【００１８】
請求項５に記載の発明は、請求項１〜請求項４の何れか１項に記載のサイホン排水システムの配管施工方法において、前記落し込み管の鉛直部、または前記竪管を、住戸の居室外に設けたメーターボックス内の前記床面に形成した孔に挿通し、前記落し込み管の水平部を前記浮遊手段を用いて前記メーターボックス内の前記床面に固定する固定工程と、前記落し込み管の鉛直部、または前記竪管と前記孔との間の隙間を固形剤で埋めて前記固形剤を固める固形剤固化工程と、前記固定工程の後、前記メーターボックス内の前記床面の上にセメントを流し込んで表面仕上げを行なう表面仕上げ工程と、を有する。
【００１９】
請求項５に記載の配管施工方法では、固定工程において、落し込み管の鉛直部、または竪管を、住戸の居室外に設けたメーターボックス内の床面に形成した孔に挿通し、落し込み管の水平部を浮遊手段を用いてメーターボックス内の床面に固定する。
固形剤固化工程では、落し込み管の鉛直部、または竪管と床面の孔との間の隙間を固形剤で埋めて固形剤を固める。
また、表面仕上げ工程では、固定工程の後、メーターボックス内の床面の上にセメントを流し込んで表面仕上げを行なうため、メーターボックス内の床面を綺麗にすることができる。
【発明の効果】
【００２０】
以上説明したように本発明のサイホン排水システムの配管施工方法によれば、床面が不陸な場合であっても横引き管を水平に支持することができる、という優れた効果を有する。
【図面の簡単な説明】
【００２１】
【図１】本発明の一実施形態に係るサイホン排水システムの配管施工方法で施工されたサイホン排水システムを示す側面図である。
【図２】横引き管の支持状態を示すサイホン排水システムの要部を示す側面図である。
【図３】本発明の一実施形態に係るサイホン排水システムの配管施工方法に用いる支持部材を示す斜視図である。
【図４】他の実施形態に係る支持部材を示す斜視図である。
【発明を実施するための形態】
【００２２】
図１にしたがって、サイホン排水システムの一実施形態について説明する。図１には、本実施形態に係るサイホン排水システム１０の全体構成の概略が示されている。本実施形態に係るサイホン排水システム１０は、サイホン力を利用して水廻り器具からの排水を効率よく排出する排水システムである。
【００２３】
図１に示すように、本実施形態のサイホン排水システム１０は、複数階（図１では、所定の階のみ図示）で構成された集合住宅に用いられる。集合住宅は、排水を下方へ流す排水立て管１２を備えている。排水立て管１２は、集合住宅の上下方向（鉛直方向）に延設され、集合住宅の各階のコンクリート製の床スラブ１４を貫いている。なお、本発明に係るサイホン排水システムは、集合住宅に好適に用いられるが、集合住宅以外の戸建て住宅や工場等にも用いることができる。
【００２４】
集合住宅の各階の各戸において、居室１５（図１における二点鎖線で示す壁ＤＬの右側）の床材１７の上に本発明の水廻り器具の一例としての水廻り器具１６が設けられており、この水廻り器具１６には、排水方向下流側に排水トラップ１８が接続されている。
図１、及び図２に示すように、居室１５下の床スラブ１４において、水廻り器具１６の配置されている下方の領域は、種々の配管を通すために一段下がった凹状の段差スラブ１４Ａとなっている。なお、一例として、床スラブ１４の上面から床材１７の上面までの高さ寸法Ｈ１は１３０ｍｍ前後、段差スラブ１４Ａの上から床材１７の上面までの高さ寸法Ｈ２は２４０ｍｍ前後、床材１７の厚さｔは３０ｍｍ前後である。
【００２５】
図１に示すように、排水トラップ１８の排水方向下流側には、Ｌ字状に曲げられたＬ字配管部材２０が配置されている。Ｌ字配管部材２０は、排水トラップ１８に接続されて鉛直方向に延びる鉛直部２０Ａ、段差スラブ１４Ａの上に水平方向に配置されて水平方向に延びる水平部２０Ｂ、及び鉛直部２０Ａと水平部２０Ｂとを繋ぐ湾曲部２０Ｃを含んで構成されている。Ｌ字配管部材２０は、一例として硬質塩化ビニール樹脂等の合成樹脂で形成された市販品（例えば、エルボとも呼ばれる）を用いることができる。
【００２６】
Ｌ字配管部材２０の排水方向下流側には、サイホン排水管２１の一部を構成する横引き管２２が配置されている。本実施形態の横引き管２２には、ＪＩＳＫ６７７８及びＪＩＳＫ６７９２に定められる呼び径が２０の可撓性を有する合成樹脂製の配管が用いられている。横引き管２２に用いる合成樹脂製の配管としては、例えば、可撓性を有するポリブテン管を用いることができるが、他の種類の合成樹脂製の配管を用いることもできる。また、横引き管２２は、呼び径が２０のものに限らず２５のものを用いてもよい。
【００２７】
居室１５の外側には、横引き管２２の排水方向下流側にメーターボックス２４が設けられている。本実施形態では、メーターボックス２４の床面１４Ｂが、居室１５下の段差スラブ１４Ａと水平方向に連続して繋がっている。
このメーターボックス２４内には、サイホン排水管２１の一部を構成するＬ字状に曲げられた落し込み管２６が配置されている。落し込み管２６は、段差スラブ１４Ａの上に配置されて水平方向に延びる水平部２６Ａ、鉛直方向に延びる鉛直部２６Ｂ、及び水平部２６Ａと鉛直部２６Ｂとを繋ぐ湾曲部２６Ｃを含んで構成されている。落し込み管２６は、一例として硬質塩化ビニール樹脂等の合成樹脂で形成された市販品（例えば、エルボとも呼ばれる）を用いることができる。
【００２８】
落し込み管２６の排水方向下流側には、サイホン排水管２１の一部を構成する上下方向に延びる竪管部材３４が配置されている。竪管部材３４は、継手３６を介して落し込み管２６の鉛直部２６Ｂに接続されている。竪管部材３４の排水方向下流側の端部は、排水立て管１２の中間部に取り付けられた合流継手３８に接続されている。なお、本実施形態の竪管部材３４には、横引き管２２と同一の配管が用いられている。
【００２９】
（横引き管部材の支持構造）
横引き管２２は、上流側の端部が、継手２８を介してＬ字配管部材２０の水平部２０Ｂに接続されており、下流側の端部が、継手３０を介して落し込み管２６の水平部２６Ａに接続されている。
【００３０】
横引き管２２の長手方向中間部の複数個所が、段差スラブ１４Ａに立設された複数の浮遊手段の一例としての支持部材３２によって水平に支持されており、これによって、横引き管２２は段差スラブ１４Ａから上方に離間して配置されている。言い換えれば、横引き管２２は段差スラブ１４Ａから浮かされている。
【００３１】
（支持部材の構造）
次に、図２、及び図３にしたがって、浮遊手段の一例としての支持部材３２を説明する。
支持部材３２は、脚部の一例としてのアンカー４６及び軸部材４８、配管保持具の一例としての六角ナット５０及び配管保持具５２を含んで構成されている。
【００３２】
軸部材４８は、長手方向の一端側から他端側に渡って雄螺子４８Ａが形成されているものであり、寸切りボルト、長ねじ、全ねじとも呼ばれているものである。本実施形態では、一例として直径１０ｍｍの軸部材４８を用いているが、軸部材４８の直径は１０ｍｍのものに限らない。
【００３３】
アンカー４６は、段差スラブ１４Ａに形成した孔６４（図２参照）に挿入して固定される、いわゆる芯棒打ち込み式アンカーであり、軸部材４８の雄螺子４８Ａが螺合する雌螺子４６Ａ（図３参照）が形成されている。
【００３４】
図３に示すように、配管保持具５２は、端部同士を蝶番部５４によって回動可能に軸支した半円状を呈する配管受部５６、及び配管受部５８を有している。なお、配管受部５６の蝶番部側とは反対側の端部には挟持片５６Ａが延設されており、配管受部５８の蝶番部側とは反対側の端部には挟持片５８Ａが延設されている。挟持片５６Ａ，５８Ｂには、軸部材４８を挿通可能とする挿通孔６０が形成されている。
【００３５】
図３の実線で示すように、配管保持具５２は、半円状の配管受部５６と配管受部５８とを互いに対向させて、断面略円状を形成し、横引き管２２を支持する第１の状態、すなわち配管保持具５２を閉じた状態と、例えば、図３の２点鎖線で示すように、配管受部５８を蝶番部５４を軸にして回動させ、配管保持具５２を開放した開いた第２の状態の２つの状態とすることができる。
【００３６】
配管保持具５２は、軸部材４８の雄螺子４８Ａに螺合した一対の六角ナット５０の間に、挟持片５６Ａと挟持片５８Ａとを配置して挟持することで、軸部材４８に固定することができる。また、軸部材４８に対する六角ナット５０の取り付け位置を変更することで、横引き管２２の段差スラブ１４Ａからの高さ位置を変更することができる。
このように、本実施形態の支持部材３２は、配管保持具５２を上下方向に開閉することで横引き管２２を挟持し易い構造となっており、また、軸部材４８を垂直方向に延在させることができるため、挟持した横引き管２２の高さを調整し易い構造となっている。
【００３７】
（施工手順）
以下に、本実施形態のサイホン排水システム１０の施工工程を説明する。
（１）  段差スラブ１４Ａに予め形成されている貫通孔６２から、水廻り器具１６の下流側のＬ字配管部材２０に至る排水ルート（言い換えれば、横引き管２２の配置ルート）に沿って、複数の支持部材３２を段差スラブ１４Ａの上面に間隔を開けて配置する。ここでは、一例として、先ず、段差スラブ１４Ａに孔６４を穿孔し、その孔６４にアンカー４６を挿入してアンカー４６を段差スラブ１４Ａに固定し、アンカー４６の雌螺子４６Ａに軸部材４８の一端側の雄螺子４８Ａを捩じ込んで螺合する。一つ目の六角ナット５０を軸部材４８の雄螺子４８Ａに螺合し、六角ナット５０の上側の軸部材４８を、配管保持具５２の挟持片５６Ａに形成された挿通孔６０、及び挟持片５８Ａに形成された挿通孔６０に挿入し、配管保持具５２を軸部材４８に仮支持する。なお、一つ目の六角ナット５０は、予め軸部材４８に螺合させておいてもよい。
【００３８】
（２）段差スラブ１４Ａに形成された貫通孔６２に、落し込み管２６の鉛直部２６Ｂを挿入し、メーターボックス２４内に配置した支持部材３２の配管保持具５２を開き、挟持片５６Ａに水平部２６Ａを載せ、水平部２６Ａが予め設定された高さ位置（Ｌ字配管部材２０の水平部２０Ｂと同じ高さ（段差スラブ１４Ａの上面からの高さではなく、絶対的な高さ））となるように六角ナット５０の位置調整を行い、その後、配管保持具５２を閉じて２つ目の六角ナット５０を軸部材４８に螺合し、２つの六角ナット５０で挟持片５６Ａ、及び挟持片５８Ａを挟持する（固定工程の一例）。これにより、落し込み管２６が配管保持具５２で固定されると共に、配管保持具５２が軸部材４８に固定される。
（３）  落し込み管２６を固定した後、貫通孔６２と落し込み管２６の鉛直部２６Ｂとの間の隙間に固形剤６６を埋めて固形剤を固める（図１参照。固形剤固化工程の一例）。なお、固形剤は、モルタル、セメント等であってもよい。
また、落し込み管２６を固定するための支持部材３２は、壁貫通部分から離れた、落し込んでいる付近に取り付けるのが好ましい。これは、壁貫通部分より離間している箇所の高さ調整が必要となるため、壁貫通部分から離間した部分を支持することで調整がし易くなるからである。なお、落とし込んでいる付近とは、落し込み管２６が水平から垂直に変化している箇所の、水平側の部分のことを指している。  
【００３９】
（４）  横引き管２２をＬ字配管部材２０、及び落し込み管２６に接続すると共に、落し込み管２６を固定した以外の残りの配管保持具５２において、挟持片５６Ａの上に横引き管２２の長手方向中間部を載せて配管保持具５２を閉じる。
【００４０】
（５）  横引き管２２の全体が水平となるように、スパナ等で各軸部材４８の六角ナット５０を回して各配管保持具５２の高さ位置を調整する。
【００４１】
（６）  横引き管２２の水平がとれた後、軸部材４８に２つ目の六角ナット５０を螺合し、２つの六角ナット５０で配管保持具５２の挟持片５６Ａ、及び挟持片５８Ａを挟持する。これにより、これにより、横引き管２２が配管保持具５２で固定されると共に、配管保持具５２が軸部材４８に固定される（横引き管を水平に保つ工程の一例）。
【００４２】
（６）  段差スラブ１４Ａの上面に、仕上げ用のセメント（シンダーコンクリートとも呼ぶ）６８を流して表面を平滑に仕上げる（表面仕上げ工程の一例）。なお、仕上げ用のセメント６８の厚さは薄くてよく、一例として、５〜１０ｍｍ程度の厚さである。これにより、段差スラブ１４Ａを綺麗に仕上げることができる。また、居室１５下の段差スラブ１４Ａの上面と同様に、メーターボックス２４の床面１４Ｂの上面に仕上げ用のセメント６８を流して床面１４Ｂの表面を平滑に仕上げてもよい。
なお、本実施形態では、メーターボックス２４の床面１４Ｂが、居室１５下の段差スラブ１４Ａと水平方向に連続して繋がっているが、この床面１４Ｂは、居室１５の床スラブ１４（段差スラブ１４Ａでは無い部分）のように、段差スラブ１４Ａよりも高く形成されていてもよい。
以上により、本実施形態のサイホン排水システム１０の施工が終了する。
【００４３】
（作用、効果）
間取りや、床スラブ１４の構造、他の配管の配置等によっては、横引き管２２を壁際や、段差スラブ１４Ａの段部の側面近傍に配置せざるを得ない場合がある。壁際の床スラブ１４、段差スラブ１４Ａの段部の側面近傍においては、表面の凹凸が大きい場合がある。
【００４４】
しかしながら、本実施形態のように、支持部材３２を用いて横引き管２２を段差スラブ１４Ａから浮かせて支持することで、段差スラブ１４Ａが不陸な場合であっても横引き管２２を水平に支持することができる。
【００４５】
また、横引き管２２の高さ調整は、六角ナット５０の高さ位置をスパナ等を用いて調整することで簡単に行うことができ、コンクリート製の段差スラブ１４Ａの不陸を調整する煩雑な作業は必要なく、配管に関わる施工作業を簡単にすることができる。
【００４６】
また、本実施形態の支持部材３２は、軸部材４８の片側に配管保持具５２が配置される構成となっているので、図２に示すように、段差スラブ１４Ａに他の配管７０が配置されていても、配管保持具５２を段差スラブ１４Ａの段部側に配置して横引き管２２を段差スラブ１４Ａの段部の側面に接近させて他の配管７０を避けつつ、水平に配置することができる。
なお、床スラブ１４と段差スラブ１４Ａとの段差部分は、施工の困難性から、一般的に不陸になりやすい。このような場所に、配管を通さなければならない場合、隆起した段差との位置関係で、従来の支持部材では取り付けが困難な場合があるが、本実施形態の支持部材３２では、このような場合であっても容易に施工することができる。
【００４７】
さらに、図示は省略するが、各々の軸部材４８を長くして配管保持具５２の取り付け位置を全体的に高くすることで、横引き管２２を他の配管７０の上に通すこともできる。
【００４８】
なお、横引き管２２のレイアウトの変更等で支持部材３２を取り外す場合は、軸部材４８から配管保持具５２を取り外した後、軸部材４８を回して、アンカー４６から軸部材４８を取り外せばよい。軸部材４８の下部は、一部分が仕上げ用のセメント６８に埋設されて固着しているが、軸部材４８と仕上げ用のセメント６８との固着部分の長さは短く（一例として、５〜１０ｍｍ程度）、軸部材４８を回すことで軸部材４８を簡単に取り外すことができる。
【００４９】
軸部材４８を取り外した後の仕上げ用のセメント６８には、軸部材４８と略同径（一例として１０ｍｍ程度）の孔が残るが、この孔は、セメント、モルタル、固形剤等を用いて簡単に埋めることができる。また、軸部材４８を取り外した後の段差スラブ１４Ａのアンカー４６は、特に取り除く必要は無く、段差スラブ１４Ａに残した状態であっても問題ない。
【００５０】
本実施形態のサイホン排水システム１０によれば、水廻り器具１６から排出された排水は、排水トラップ１８、Ｌ字配管部材２０、サイホン排水管２１、及び合流継手３８を経て排水立て管１２へ合流する。
【００５１】
水廻り器具１６から排水がサイホン排水管２１に流入すると、最初は横引き管２２の上流が排水で満水となり、その後、満水状態を維持した排水が下流に向けて流れて竪管４４に流れ込む。満水となった排水が重力により竪管４４内を落下すると、竪管４４内にサイホン力が発生する。そして横引き管２２の内部の排水は、サイホン力によって竪管４４に向かって吸引されて流下し、効率的に排水が行われる。
【００５２】
本実施形態のサイホン排水システム１０では、横引き管２２が水平に配置されているので、横引き管２２が傾斜して配置された場合に比較して、横引き管内を迅速に満流にでき、迅速にサイホン力を発生させることができる。
【００５３】
［その他の実施形態］
以上、本発明の一実施形態について説明したが、本発明は、上記に限定されるものでなく、上記以外にも、その主旨を逸脱しない範囲内において種々変形して実施可能であることは勿論である。
【００５４】
上記実施形態では、支持部材３２を段差スラブ１４Ａに設ける例を説明したが、支持部材３２は、段差スラブ１４Ａ以外の場所に取り付けてもよい。また、上記実施形態の支持部材３２では、軸部材４８をアンカー４６に取り付けたが、軸部材４８を取り付ける対象はアンカー４６に限らず、雌螺子が形成されているものであればアンカー４６以外のものであってもよい。
【００５５】
上記実施形態の支持部材３２は、配管保持具５２を１本の軸部材４８で支持したが、図４に示すように、配管保持具５２を２本の軸部材４８で支持する構成としてもよい。
【００５６】
上記実施形態では、雄螺子４８Ａが形成された軸部材４８と、雌螺子４６Ａが形成されたアンカー４６とで脚部を構成したが、これとは逆に、雄螺子の形成されたアンカーと、雌螺子が形成された軸部材とで脚部を構成してもよい。
【００５７】
水廻り器具１６としては、例えば、洗面器、洗濯機、キッチンのシンク、風呂、食器洗い機等を上げることができるが、水を排水するものであれば特に種類は問わず、他のものであってもよい。
【符号の説明】
【００５８】
１０…サイホン排水システム、１４…床スラブ（床面）、１４Ａ…段差スラブ（床面）、１５…居室、１６…水廻り器具、２２…横引き管、２４…メーターボックス、２６…落し込み管、２６Ａ…水平部、２６Ｂ…鉛直部、３２…支持部材（浮遊手段）、４４…竪管、４６…アンカー（脚部）、４８…軸部材（脚部、保持機構）、５２…配管保持具（配管保持部、保持機構）
【図１】
2019190123.tif 000003
【図２】
2019190123.tif 000004
【図３】
2019190123.tif 000005
【図４】
2019190123.tif 000006